(57)【要約】【課題】  濾過ドラムに付着した切り屑の除去を逆洗で行う必要がなく、構造簡単にして運転コストも低減される切り屑除去装置を提供する。【解決手段】  収容部１２と起立部１３と排出部１４とを一体に有するケース１１内の長手方向両端部に設けたスプロケット１５，１６間に巻回され、下部側がケース１１の底板に沿って排出部１４方向に移動する如く周回されるスクレーパコンベヤ１７を設けてなる切り屑除去装置において、収容部１２の側部に側部ケース２２を連通接続し、該側部ケース２２内に筒状の濾過ドラム２４を回転可能に設け、該濾過ドラム２４をその下面が収容部１２方向に回転させ、濾過ドラム２４の側部を側部ケース２２の外部に開口させ、濾過ドラムの濾過材２６は、外周に多数の小孔を有するシームレスの円筒体により形成し、側部ケースの側壁２２ｂに濾過ドラムの軸方向に延びるスクレーパ３５を取付ける。【選択図】  図２
0003188605.tif 000002
【実用新案登録請求の範囲】
【請求項１】
上面に切り屑を含んだクーラントの受入口を有する収容部と、斜め上方に立ち上がる起立部と、底板に排出口を有する排出部とを一体に有するケースを設け、ケース内の長手方向両端部に設けたスプロケット間に巻回され、かつ下部側がケースの底板に沿って排出部方向に移動する如く周回されるスクレーパコンベヤを設けてなる切り屑除去装置において、前記収容部の一方の側部に側部ケースを連通接続し、該側部ケース内に筒状の濾過ドラムをケースの長手方向と平行する軸芯を中心として回転可能に設け、該濾過ドラムをその下面が前記収容部に向かう方向に回転させる駆動装置を設け、濾過ドラムの側部を側部ケースの外部に開口させ、前記濾過ドラムの濾過材は、外周に多数の小孔を有するシームレスの円筒体により形成し、前記側部ケースの側壁に濾過ドラムの軸方向に延び前記濾過材の外周面に接して濾過材に付着した切り屑を掻き落とすスクレーパを取付けてなることを特徴とする切り屑除去装置。
【請求項２】
濾過材は、パンチングメタルをレーザー溶接によりシームレスの円筒体に形成したものである請求項１に記載の切り屑除去装置。
【考案の詳細な説明】
【技術分野】
【０００１】
本考案は、切り屑が混入したクーラントから切り屑を分離除去する切り屑除去装置に関するものである。
【背景技術】
【０００２】
従来の切り屑除去装置として、特許文献１には、上面に切り屑を含んだクーラントの受入口を有する収容部と、斜め上方に立ち上がる起立部と、底板に排出口を有する排出部とを一体に有するケースを設け、ケース内の長手方向両端部に設けたスプロケット間に巻回され、かつ下部側がケースの底板に沿って排出部方向に移動する如く周回されるスクレーパコンベヤを設けてなる切り屑除去装置において、前記収容部の一方の側部に側部ケースを連通接続し、該側部ケース内に筒状の濾過ドラムをケースの長手方向と平行する軸芯を中心として回転可能に設け、該濾過ドラムをその下面が収容部に向かう方向に回転させる駆動装置を設け、濾過ドラムの側部を側部ケースの外部に開口させたものがあった。
【０００３】
このものは、濾過ドラムを側部ケース内に設け、切り屑が攪拌されていない側部ケース内でクーラントを濾過するので、濾過性能が安定するとともに、収容部の受入口を大きくすることができ、工作機からの切り屑を含んだクーラントの流出口の接続が容易になるなど優れたものである。
【０００４】
しかし、濾過ドラムの周面の網目又は孔に切り屑が付着して濾過機能が低下してしまうことを防止するため、濾過ドラム内に周壁に多数のノズルが形成された吐出管を設け、そのノズルから清浄クーラントを濾過ドラムの周面に向けて噴出して周面に付着した切り屑を除去する逆洗が必要となる。
このため、清浄クーラントを圧送するための強力なポンプが必要となり、運転コストも嵩む。また、長年の使用により吐出管のノズルが目詰まりを起こし、逆洗に支障をきたすこともあった。
【先行技術文献】
【特許文献】
【０００５】
【特許文献１】特許第２７９９９５１号公報
【考案の概要】
【考案が解決しようとする課題】
【０００６】
そこで、本考案は、濾過ドラムに付着した切り屑の除去を逆洗で行う必要がなく、構造簡単にして運転コストも低減される切り屑除去装置を提供することを目的とする。
【課題を解決するための手段】
【０００７】
上記の課題を解決するために、請求項１に係る考案は、上面に切り屑を含んだクーラントの受入口を有する収容部と、斜め上方に立ち上がる起立部と、底板に排出口を有する排出部とを一体に有するケースを設け、ケース内の長手方向両端部に設けたスプロケット間に巻回され、かつ下部側がケースの底板に沿って排出部方向に移動する如く周回されるスクレーパコンベヤを設けてなる切り屑除去装置において、前記収容部の一方の側部に側部ケースを連通接続し、該側部ケース内に筒状の濾過ドラムをケースの長手方向と平行する軸芯を中心として回転可能に設け、該濾過ドラムをその下面が前記収容部に向かう方向に回転させる駆動装置を設け、濾過ドラムの側部を側部ケースの外部に開口させ、前記濾過ドラムの濾過材は、外周に多数の小孔を有するシームレスの円筒体により形成し、前記側部ケースの側壁に濾過ドラムの軸方向に延び前記濾過材の外周面に接して濾過材に付着した切り屑を掻き落とすスクレーパを取付けてなること、を特徴としている。
請求項２に係る考案は、濾過材を、パンチングメタルをレーザー溶接によりシームレスの円筒体に形成したものである。
【考案の効果】
【０００８】
請求項１に係る考案は、濾過ドラムの濾過材を、外周に多数の小孔を有するシームレスの円筒体により形成し、側部ケースの側壁に濾過ドラムの軸方向に延び濾過材の外周面に接して濾過材に付着した切り屑を掻き落とすスクレーパを取付けたので、従来のように濾過ドラム内に逆洗用の吐出管を設けて強力ポンプで清浄クーラントを噴出させる必要がなくなる。ポンプも不要で運転コストもかからず、濾過材の外周面に付着した切り屑を構造簡単かつ確実に除去することができる。
請求項２に係る考案は、濾過ドラムを、パンチングメタルをレーザー溶接によりシームレスの円筒体に形成したので、厚さの薄い板金をシームレスで円筒体に容易に形成することができる。
【図面の簡単な説明】
【０００９】
【図１】本考案の実施例を示す切り屑除去装置の一部断面側面図である。
【図２】図１の平面図である。
【図３】濾過ドラム部の断面側面図である。
【図４】濾過ドラム部の断面正面図である。
【考案を実施するための形態】
【００１０】
以下、本考案の実施例を図面に基づいて具体的に説明する。図１および図２において、１０は切り屑除去装置であり、１１はそのケースである。このケース１１は、板金製の底板１１ａ、側板１１ｂ、天板１１ｃにより左右方向に細長い角筒状に形成してなり、左部から右部に向かって収容部１２、起立部１３、排出部１４を連続して一体に有する。
【００１１】
上記収容部１２は水平状に延出させ、その天板を除去して大面積の受入口１２ａを形成するとともに、左端を前板１１ｄにより閉塞する。また上記起立部１３は上記収容部１２の右端から右方に向かって斜め上方に立ち上がらせ、上記排出部１４は水平状に延出させるとともに、底板１１ａ−１の右端部に切り屑の排出口１４ａを形成する。
【００１２】
上記収容部１２内の左端部および排出部１４内の左右方向中間部にケース１１の幅（短手）方向に離間する一対のスプロケット１５，１６を取付け、このスプロケット１５，１６にスクレーパコンベヤ１７を巻回する。スクレーパコンベヤ１７は一対のチェーン１８を対面させて上記スプロケット１５，１６に巻回し、該チェーン１８にケース１１の幅方向に延びる金属製のスクレーパ１９を連結してなる。上記スクレーパコンベヤ１７は、排出部１４の外側部に取り付けたモーター２０により、スクレーパコンベヤ１７の下部側がケース１１の底板１１ａに沿って排出部１４方向に移動する如く周回させる。なお、図１，図２においては、一部のスクレーパ１９のみを図示してあるが、実際には、全周に亙って設けてある。
【００１３】
２１は板金材により形成したチェーンガイドであり、レーザービームにより切断して所定の端面をスクレーパコンベヤ１７のチェーン１８と接触させ、該チェーン１８を収容部１２、起立部１３、排出部１４に沿ってガイドする。このチェーンガイド２１は、図１に示すように、一個の長尺な第１チェーンガイド２１ａと二個の短尺な第１、第２チェーンガイド２１ｂ，２１ｃからなり、第１チェーンガイド２１ａは収容部１２側のスプロケット１５の直右部にてチェーン１８の上下部に接する前部ガイド片２１ａ−１、チェーン１８の下動側を収容部１２の底面から起立部１３の底面に沿ってガイドする底面ガイド片２１ａ−２、および起立部１３と排出部１４との屈曲部の上側にてチェーン１８の上動側に接する後部ガイド片２１ａ−３を一体に有する。また、第２チェーンガイド２１ｂは起立部１３と排出部１４との屈曲部の下側にてチェーン１８の下動側に接し、また、第３チェーンガイド２１ｃは収容部１２と起立部１３との屈曲部の上側にてチェーン１８の上動側に接する。
【００１４】
上記収容部１２の一方の側部に側部ケース２２を配置し（図２）、これら両者を対面する側板の下部に形成した連通孔２３を介して連通させる（図３）。そして、上記側部ケース２２内に円筒状の濾過ドラム２４をケース１１の長手方向と平行する軸芯（左右方向の軸芯）を中心として回転可能に支持し、該濾過ドラム２４をモーター（駆動装置）２５により、その下面が収容部１２に向かう方向に回転させる。
【００１５】
上記濾過ドラム２４は、外周に多数の小孔を有するパンチングメタルのシームレスの円筒体からなる濾過材２６を設け、左右端板２４ａに大径の円筒軸２７，２８を同軸に配置してボルトにより着脱可能に締め付け固定し、この円筒軸２７，２８を側部ケース２２から左方および右方に突出させて濾過ドラム２４の内部を側部ケース２２の外部に開口させ、側部ケース２２の左右端板２２ａに回転自在に支持したローラ２９，３０を上記各円筒軸２７，２８の外周の数カ所に当接させて回転自在に支持する。この場合、右部のローラ３０は、図２及び図３に示すように、Ｖローラとし、これを右部の円筒軸２８の外周に形成したＶ溝２８ａに係合させることにより、濾過ドラム２４の軸方向の移動を規制する。濾過材２６は、厚さの薄い（例えば、厚さ０．４ｍｍ程度）パンチングメタルであってもレーザー溶接によって容易にシームレスの円筒体に形成することができる。
【００１６】
上記右部の円筒軸２８の右端にリング状のスプロケット３１を同軸に取付け、チェーン３２を介して前述したモーター２５に連結する。図３において、３３は円筒軸２７，２８の外周に取り付けたオイルシールであり、円筒軸２７，２８と側部ケース２２との嵌合部を密閉する。側部ケース２２の収容部１２側の側壁２２ｂには、取付けアーム３４を介して濾過ドラム２４の軸方向に延び、濾過材２６と略同じ長さのスクレーパ３５を取付ける。スクレーパ３５は、円筒状の濾過材２６の外周面に接し、濾過ドラム２４（濾過材２６）の回転によって濾過材２６の外周面に付着した切り屑を掻き落とす。
【００１７】
そして、ケース１１の収容部１２および側部ケース２２を工作機のクーラントリターンケース３６内に収容し、工作機の切り屑を含んだクーラントを収容部１２の受入口１２ａに向けて流出させ、この状態でモーター２０，２５を起動させる。さすれば、収容部１２内にて底部に沈下した切り屑がスクレーパコンベヤ１７により、ケース１１の底面に沿って掻き揚げられ、排出口１４ａから外部の切り屑収容箱３７に落下される。
【００１８】
一方、工作機から収容部１２に流出した切り屑を含むクーラントは、側部の連通孔２３を介して側部ケース２２内に流入し、濾過材２６により濾過されて濾過ドラム２４内に流入した後、円筒軸２７，２８からリターンケース３６に流出し、このリターンケース３６からポンプにより再び工作機に向けて送り出される。
濾過材２６の外周面に付着した切り屑はスクレーパ３５により掻き落とされるので、濾過材２６の目詰まりが防止され、濾過機能が長期に亙って安定する。掻き落とされた切り屑３８はクーラント中を落下していくが、濾過ドラム２４が、その下面側が収容部１２方向に向けて回転されているため、切り屑３８はその流れに沿って収容部１７側へと運ばれることになる。
【００１９】
そして、濾過ドラム２４を収容部１２の側部に配置した側部ケース２２内に設けたので、切り屑が攪拌されていない側部ケース２２内でクーラントを濾過することができ、濾過性能が長期に亙って安定するとともに、収容部１２の受入口１２ａを大きくすることができ、工作機からの切り屑を含んだクーラントの流出口の接続が容易になる。
濾過材２６の外周面に付着した切り屑を除去するのに、従来のように濾過ドラム２４内に逆洗用の吐出管を設けて強力ポンプで清浄クーラントを噴出させる必要がなくなり、ポンプも不要で運転コストもかからない。スクレーパ３５により濾過材２６の外周面に付着した切り屑を簡単かつ確実に除去することができ、濾過機能を長期に亙って良好に維持することができる。
【符号の説明】
【００２０】
１０        切り屑除去装置
１１        ケース
１１ａ      底板
１１ｂ      側板
１１ｃ      天板
１１ｄ      前板
１２        収容部
１２ａ      受入口
１３        起立部
１４        排出部
１４ａ      排出口
１５        スプロケット
１６        スプロケット
１７        スクレーパコンベヤ
１８        チェーン
１９        スクレーパ
２０        モーター
２１        チェーンガイド
２１ａ      第１チェーンガイド
２１ａ−１  前部ガイド片
２１ａ−２  底面ガイド片
２１ａ−３  後部ガイド片
２１ｂ      第２チェーンガイド
２１ｃ      第３チェーンガイド
２２        側部ケース
２２ａ      左右端板
２２ｂ      側壁
２３        連通孔
２４        濾過ドラム
２４ａ      左右端板
２５        モーター
２６        濾過材
２７        円筒軸
２８        円筒軸
２９        ローラ
３０        ローラ
３１        スプロケット
３２        チェーン
３３        オイルシール
３４        取付けアーム
３５        スクレーパ
３６        クーラントリターンケース
３７        切り屑収容箱
３８        切り屑
【図１】
0003188605.tif 000003
【図２】
0003188605.tif 000004
【図３】
0003188605.tif 000005
【図４】
0003188605.tif 000006